(57)【要約】    【課題】  花粉などの微小な物質の侵入を阻止することが出来、しかも装着時、眼鏡のレンズが不用意に曇るのを抑制することが出来る衛生マスクを提供する。    【解決手段】  鼻及び口を覆うためのマスク本体が備えられたマスクにおいて、マスク本体の内面の上縁部には、マスク本体の上縁部を使用者の顔面に密着させるための粘着部が設けられており、またマスク本体が通気性を備えた素材から形成されると共に、このマスク本体の上縁部には、使用者の口から吐き出される息をマスク本体の下方に向けて案内するための非通気性材料からなるガイド体が設けられている。  【選択図】  図２
2006263172.tif 000002
【特許請求の範囲】
【請求項１】
鼻及び口を覆うためのマスク本体が備えられたマスクにおいて、前記マスク本体の内面の少なくとも上縁部には、マスク本体の上縁部を使用者の顔面に密着させるための粘着部が設けられていることを特徴とする衛生マスク。
【請求項２】
マスク本体が通気性を備えた素材から形成されると共に、このマスク本体の上縁部には、使用者から吐き出される息をマスク本体の下方に向けて案内するための非通気性材料からなるガイド体が設けられていることを特徴とする請求項１に記載の衛生マスク。
【発明の詳細な説明】
【技術分野】
【０００１】
本発明は、例えば花粉症の患者などが花粉から身を守るのに使用したり、あるいは風邪の患者が使用したり、更には病院内での院内感染を防ぐために使用する衛生マスクに関する。
【背景技術】
【０００２】
近年、花粉症の患者が増大しており、社会的にも大きな問題となってきているが、花粉から身を守る方法の１つとして、衛生マスクの使用が考えられる。
【０００３】
この衛生マスクは、既知のごとく、鼻や口を覆うマスク本体と、このマスク本体の両端部に取り付けられた耳掛け部とから構成され、マスク本体で、鼻や口に花粉が侵入するのを防ぐようにしている。(特許文献１参照)
ところで、人の顔面は頬や鼻などの凹凸があり、しかも人によってその形状が大きく異なる。
【０００４】
そのため、例えば鼻の高い人では、マスク本体と顔面との間に隙間が出来易く、その隙間から花粉などが侵入する不具合があるし、特に眼鏡をかけている人の場合には、マスクの上端と鼻の両側部分との間に隙間があると、マスクの使用に伴い、吐く息に含まれる水蒸気が、マスクの上端と鼻の両側部分との間の隙間から出て、眼鏡のレンズが不用意に曇ってしまう不具合がある。
【特許文献１】特開２００４−１１３２９３号
【発明の開示】
【発明が解決しようとする課題】
【０００５】
本発明は以上の実情に鑑みて開発したものであって、目的とするところは、花粉などの微小な物質の侵入を阻止することが出来、しかも装着時、眼鏡のレンズが不用意に曇るのを抑制することが出来る衛生マスクを提供することにある。
【課題を解決するための手段】
【０００６】
前記した目的を達成するために、請求項１に記載の発明は、鼻及び口を覆うためのマスク本体が備えられたマスクにおいて、前記マスク本体の内面の少なくとも上縁部には、マスク本体の上縁部を使用者の顔面に密着させるための粘着部が設けられていることを特徴とするものである。
【０００７】
また請求項２に記載の発明は、請求項１に記載のマスク本体が通気性を備えた素材から形成されると共に、このマスク本体の上縁部には、使用者から吐き出される息をマスク本体の下方に向けて案内するための非通気性材料からなるガイド体が設けられていることを特徴とするものである。
【発明の効果】
【０００８】
請求項１に記載の発明によれば、衛生マスクの使用に伴い、マスク本体の内面側で吐かれる息が、マスク本体の少なくとも上縁部と使用者の顔面との間から上方に抜けるのが確実に阻止されので、使用者が眼鏡を着用している場合でも眼鏡のレンズが不用意に息で曇るのを抑制することが出来る。
【０００９】
請求項２に記載の発明によれば、請求項１に記載の発明の効果に加え、マスク本体が通気性を有する素材から形成されていても、マスク本体の上部において、通気性を有するマスク本体２を通して息が漏れ出るようなことがなく、ガイド体と粘着部とにより、眼鏡が不用意に曇るのをより一層確実に防止することが出来る。
【発明を実施するための最良の形態】
【００１０】
以下、本発明の実施形態について図面を参照しながら説明する。
【００１１】
図１は衛生マスクを正面から見た状態を示す正面図、図２は衛生マスクを背面から見た背面図、図３は衛生マスクの使用状態を示す正面図、図４は、衛生マスクの使用状態を示す説明図である。
【００１２】
図１〜図４に示す衛生マスク１は、主として花粉症の患者などが用いるものであって、立体的に形成されたマスク本体２と、このマスク本体２の左右にそれぞれ設けられた耳掛け部３ａ・３ｂとから構成されている。
【００１３】
マスク本体２は、通気性及び殺菌性を備えた不織布から成る左布地部２１ａと、この左布地部２１ａと左右対称の形とした右布地部２１ｂとが立体的に接合されて、これら左布地部２１ａと右布地部２１ｂを開いて着用する際、両布地部２１ａ・２１ｂの内側面側に呼吸空間Ｓが画成されて、この呼吸空間Ｓ内に使用者の鼻が収まるようになっている。
【００１４】
使用者は、この呼吸空間Ｓによって鼻や口による呼吸を楽に行うことができる。
【００１５】
尚、両布地部２１ａ・２１ｂは、いずれも２枚の不織布を貼り合わせた二重構造のものを使用している。
【００１６】
また左右耳掛け部３ａ・３ｂは、いずれも伸縮性を備えた不織布から形成され、その一端部が左右布地部２１ａ・２１ｂに熱溶着されている。
【００１７】
そして以上の構成からなる衛生マスク１において、図に示す実施形態では、マスク本体２の内側面の上縁部には、図２にも示すように、使用者の口から吐き出される息をマスク本体２の下方に向けて案内するための非通気性材料からなるガイド体４が設けられると共に、このガイド体４の内面には、帯状に延びる粘着部５が形成され、この粘着部５により、図４に示すように、マスク本体２の上縁部を使用者の顔面に密着させるようにしている。
【００１８】
図に示す実施形態のガイド体４は、軟質のプラスチック材料から形成された非通気性の薄いフィルムから構成され、このフィルムをマスク本体２の内側面の上縁部に沿って熱溶着により貼り付けているのであって、このガイド体４の上下幅は、粘着部の上下幅よりも広くしている。
【００１９】
また粘着部５は、シリコン樹脂から形成されて、ガイド体４の内面にラミネートされている。
【００２０】
尚、この粘着部５は厚肉に形成してもよく、厚肉とすることで、マスク本体２の上縁部を使用者の顔面により一層、密着させ易くなる。
【００２１】
以上の構成から成る衛生マスク１は、左右の耳掛け部３ａ・３ｂを耳に引っ掛けて、マスク本体２で鼻及び口を覆うと共に、マスク本体２の上縁部を軽く顔面に向かって押し込むことで、粘着部５が顔面に密着して、マスク本体２の上縁部と顔面との間に隙間が生じることがないのである。
【００２２】
従って、吐く息がマスク本体２の上縁から上方に向かって漏れ出ることがないし、また吐く息が、ガイド体４により、マスク本体２内において下方に向けて積極的に案内されるので、マスク本体２の上部において通気性を有するマスク本体２を通過して外部に漏れ出るのも確実に抑制されるので、全体として、吐く息に含まれる水蒸気で眼鏡６のレンズが不用意に曇ることがないのである。
【００２３】
また以上のマスクでは、粘着部を介してマスク本体２が顔面に粘着しているので、使用時において、会話する時などにマスク本体２が顔面に対してずれ動くのを抑制することが出来る。
【００２４】
以上の実施形態では、マスク本体２に内面の上縁部にのみ粘着部５を設けたが、これに限定されるものではなく、例えば、マスク本体２の内面の左右側縁部や下縁部にも粘着部５を設けても良く、以上の構成とすることで、マスク本体２と顔面との間の隙間がより一層確実に閉じられるので、花粉などの侵入をより一層抑制することが出来るし、また耳掛け部３ａ・３ｂがなくても、マスク本体２を顔面に装着することも可能である。
【００２５】
また以上の実施形態では、マスク本体２の内面の上縁部にガイド体４を貼り付けて、このガイド体４の表面に粘着部５を形成したが、これに限定されるものではなく、例えばマスク本体２の作成時、左右両布地部２１ａ・２１ｂを構成する２枚の不織布間にガイド体４を予め介装してもよく、この場合、粘着部５は、左右両布地部２１ａ・２１ｂの内面の上縁部に直接設ければよい。
【００２６】
また以上の実施形態では、マスク本体２を、不織布から成る左布地部２１ａと、この左布地部２１ａと左右対称の形とした右布地部２１ｂとから立体的形成したが、これに限定されるものではなく、例えば図５に示すように、マスク本体２を正面視横長とした長方形に形成してもよく、また図５に示すようにマスク本体２に複数のギャザ２１を設けてもよい。
【００２７】
また例えばマスク本体２にリラックスできるような香りを予め付けておいてもよい。
【００２８】
また以上の実施形態では、シリコン樹脂から形成された粘着部５をマスク本体２に設けたが、これに限定されるものではなく、例えば、水溶性高分子基剤から成り冷却性能と粘着性能を兼ね備えたジェルを、マスク本体２の内面に敷設し、このジェルを粘着部５としてもよい。
【００２９】
以上の構成とすることで、ジェルから構成される粘着部５が顔面に密着して、マスク本体２の上縁部と顔面との間の隙間を確実に閉鎖することが出来、しかもジェルの冷却性能により、マスク本体２で覆われている顔面が冷やされて、特に花粉症の患者には症状を緩和させるのにより一層有効となる。
【００３０】
また以上の粘着部５を構成するシリコン樹脂やジェルに消炎剤を含有させることで、マスクの着用に伴い、消炎効果を得ることが出来る。
【図面の簡単な説明】
【００３１】
【図１】本発明にかかる衛生マスクの一実施形態を示す正面図。
【図２】同、背面図。
【図３】図１に示す衛生マスクの使用状態を示す正面図。
【図４】図１に示す衛生マスクの使用状態を示す説明図。
【図５】本発明にかかる衛生マスクの別の実施形態を示す斜視図。
【符号の説明】
【００３２】
１      衛生マスク
２      マスク本体
３ａ・３ｂ    耳掛け部
４      ガイド体
５      粘着部
【図１】
2006263172.tif 000003
【図２】
2006263172.tif 000004
【図３】
2006263172.tif 000005
【図４】
2006263172.tif 000006
【図５】
2006263172.tif 000007